(57)【要約】【課題】装置本体における樹脂の使用量を極力少なくして、成型金型の製造上の簡易化、装置本体の軽量化や小型化並びに取付作業上の簡易化を促進可能な空調装置を提供すること。【解決手段】浴室３１の天井部３２の取付開口部３３から天井部３２の奥部に挿入されて取り付けられる金属ケース４０に、浴室３１の空気を取り入れるための開口部４０Ａと、取り入れた空気を排気可能な排気口４６Ａとが開口されていると共に、内部に空気の吸引ファン４２を格納可能なボックス形状を有しており、金属ケース４０の開口縁部に、取付枠部４１が装着される構成とされている。【選択図】  図１
2004150765.tif 000002
【特許請求の範囲】
【請求項１】
室内の空気を取り入れるための開口部と、取り入れた空気を排気可能な排気口とが開口され、内部に空気の吸引ファンを格納可能な金属ケースを備え、該金属ケースは、室内の天井部の取付開口部から前記天井部の奥部に挿入されて取り付けられる空調装置であって、
前記金属ケースの開口縁部に、前記取付開口部の室内側の開口縁部を覆うフランジ部と前記金属ケースの開口縁部に取り付けられる枠状部とを一体に形成した取付枠部が装着されていることを特徴とする空調装置。
【請求項２】
該取付枠部が前記金属ケースの開口縁部から着脱可能とされていることを特徴とする請求項１に記載の空調装置。
【請求項３】
前記取付枠部は樹脂製とされていることを特徴とする請求項１、２の何れかに記載の空調装置。
【請求項４】
前記フランジ部若しくは前記枠状部の少なくとも何れかに前記金属ケース内部に結露する水を排水する水抜き穴を形成したことを特徴とする請求項１〜３の何れかに記載の空調装置。
【請求項５】
前記フランジ部に前記取付開口部の開口縁部と前記フランジ部との間に配置されるシール部材を設けたことを特徴とする請求項１〜４の何れかに記載の空調装置。
【請求項６】
請求項１乃至請求項５の何れかの空調装置に用いられる空調装置用の取付枠部。
【発明の詳細な説明】
【０００１】
【発明の属する技術分野】
本発明は、室内の天井部或いは壁部の開口部に挿入して取り付けられる空調装置に関する。
【０００２】
【従来の技術】
従来、空調装置の一例としては、図７に示す浴室用換気装置が知られている。この浴室換気装置は、浴室の天井部１の取付開口部２に、装置本体３が挿入され、装置本体３はアンカーステイ４に支持されると共に、アンカーステイ４はアンカーボルト５により、階上との仕切壁６に取り付けられている。
【０００３】
装置本体３は、ボックス形状を有した金属製の金属カバー７で外側が構成され、金属カバー７の内部にプラスチック製の本体ケース８が装着されて、構成されている。
【０００４】
本体ケース８の室内９側の部分には室内空気を導入するための開口部１０と、取り込んだ空気を再度室内９に戻すための開口部１１とが形成されている。開口部１０の奥には、ファンケース１２が設けられ、ファンケース１２の内部に遠心式の吸引ファン１３が配設されている。吸引ファン１２はファンモーターＭ１により駆動される。
【０００５】
ファンケース１２の下部には、空気を導入する吸引口１４を備えたベルマウス１５が設けられ、ファンケース１２の他方には送風用の開口部１６が形成されている。開口部１６は送風路１７に通じている。
【０００６】
本体ケース８及び金属カバー７の側壁部には送風路１７に通じる排気口１８Ａ、１８Ｂが開口され、排気口１８の外側の縁部に、排気口１８に通じるダクトジョイント１９が取り付けられている。ダクトジョイント１９には室内空気を排気するためのダクトＤが接続される。
【０００７】
本体ケース８内の送風路１７には、室内９の空気を室外に排気する排気口１８側と、室内に循環する循環風路２０とに空気の流れを切り換えるダンパー２１が配設されている。ダンパー２１は図示しないリンクを介して図示しないダンパー用モーターの出力軸にリンクしている。ダンパー２１は前記ダンパー用モーターの回転角度により、送風路１７を流れる空気の流れを切り換える。ダンパー２１が循環風路２０側の開口縁部側に倒れると、送風路１７の空気は排気口１８からダクトジョイント１９を経由してダクトＤに流れる。ダンパー２１が排気口１８側に立ち上がると、排気口１８側が遮断されて循環風路２０側に空気が流れる。
【０００８】
本体ケース８の下端部には天井部１の室内側の縁部に当接するフランジ２３が形成され、フランジ２３には、いつ無い９の空気を吸気する開口部２４と室内９に循環空気を排気する開口部２５が形成されたプラスチック製のフロントカバー２６が取り付けられており、開口部２４は開口部１０に通じ、開口部２５は開口部１１に通じている。
【０００９】
【特許文献１】
特願２００２−２０９４５０号明細書
【００１０】
【発明が解決しようとする課題】
しかしながら、このような従来の浴室用換気装置の場合、本体ケース８がボックス状の金属カバー７の内側の奥部まで形成されている。このため、本体ケース８に用いられるプラスチックの使用量が多いために、成型金型の大型化をもたらし、コストも高く、小型化が難しいと共に、金属カバー７に本体ケース８を取り付けるためのネジ穴の加工やネジ止めに手間がかかるという問題がある。また、重量の軽減化が難しいので、アンカーボルト５の引き抜き強度を十分に考慮することを要する等、製造上や取付作業上の問題がある。
【００１１】
本発明は、このような課題に着目してなされたものであり、装置本体における樹脂の使用量を極力少なくして、製品コストを安価にし、成型金型の小型化、簡易化、装置本体の軽量化や小型化並びに取付作業上の簡易化を促進可能な空調装置を提供することを目的とする。
【００１２】
【課題を解決するための手段】
上記課題を解決するために、本願の空調装置は、室内の空気を取り入れるための開口部と、取り入れた空気を排気可能な排気口とが開口され、内部に空気の吸引ファンを格納可能な金属ケースを備え、該金属ケースは、室内の天井部の取付開口部から前記天井部の奥部に挿入されて取り付けられる空調装置であって、前記金属ケースの開口縁部に、前記取付開口部の室内側の開口縁部を覆うフランジ部と前記金属ケースの開口縁部に取り付けられる枠状部とを一体に形成した取付枠部が装着されていることを特徴とする。
【００１３】
また、本願の請求項２の空調装置は、請求項１に記載の空調装置において、該取付枠部が前記金属ケースの開口縁部から着脱可能とされていることを特徴とする。
【００１４】
本願の請求項３の空調装置は、請求項１、２の何れかに記載の空調装置において、前記取付枠部は樹脂製とされていることを特徴とする。
【００１５】
本願の請求項４の空調装置は、請求項１〜３の何れかに記載の空調装置において、前記フランジ部若しくは前記枠状部の少なくとも何れかに前記金属ケース内部に結露する水を排水する水抜き穴を形成したことを特徴とする。
【００１６】
本願の請求項５の空調装置は、請求項１〜４の何れかに記載の空調装置において、前記フランジ部に前記取付開口部の開口縁部と前記フランジ部との間に配置されるシール部材を設けたことを特徴とする。
【００１７】
本願の請求項６の空調装置用の取付枠部は、請求項１乃至請求項５の何れかの空調装置に用いられるものである。
【００１８】
【発明の実施の形態】
図１は本願の空調装置の実施の形態にかかる浴室用換気装置３０を示したものである。
【００１９】
この浴室用換気装置３０は、図２に示すように、浴室３１の浴室天井部３２に形成された取付開口部３３の内部に挿入される装置本体３４を備えている。装置本体３４の上部には階上のフロアとの仕切壁３７が存在し、浴室天井部３２は仕切壁３７に支持されている。装置本体３４は、仕切壁３７にアンカーボルト３８を螺着して取り付けられるアンカーステイ３９に、ネジ止めされて保持されている。尚、アンカーステイ３９及びアンカーボルト３８により仕切壁３７に支持させるタイプでなく、取付開口部３３に取り付けるタイプでも良い。取付開口部３３に取り付ける場合には、取付開口部３３に金属ケース４０の支持体を設ける。
【００２０】
装置本体３４は、金属ケース４０と取付枠部４１とを備えたものである。金属ケース４０の浴室３１側の部位は開口部４０Ａとされている。金属ケース４０の下端部の外側部には支持枠４０Ｂがネジ止めにより固定され、この支持枠４０Ｂがアンカーステイ３９の下端部にネジ止めにより固定される。
【００２１】
送風ファンなどの機能部品は、樹脂製の本体ケースを用いずに金属ケースに直接又は他の部材を介して間接的に取り付ける構成としている。
【００２２】
取付枠部４１は、開口部４０Ａの内側に嵌合して取り付けられる。図３に示すように、取付枠部４１の内部は開口部４０Ａの平面形状と相似形状に開口している。取付枠部４１は、金属ケース４０の外側に突出して浴室天井部３２に沿って延びるフランジ部４１Ａと、金属ケース４０の開口部内側に嵌合する枠状部４１Ｂとを有する。図２，図４に示すように、枠状部４１Ｂは金属ケース４０の下端部から後述するヒータ５０が配設される高さ近傍までの高さを有しており、金属ケース４０の内側に浅く沿って枠状に延びている。ここで、枠状部とは底部の無い筒状形態を有するものであり、筒のように金属ケース４０の天井部分まで延びず下端部の開口縁部近傍であって、長くても排気口４６Ａの下端縁部までとするものである。
【００２３】
この枠状部４１Ｂと金属ケース４０の開口縁部とはネジ４１Ｃにより着脱可能に結合され、金属ケース４０の下端縁部にネジ通し穴（図示省略）が開口され、枠状部４１Ｂのネジ通し穴対応部分にネジ穴部４１Ｄが形成されている。このネジ通し穴とネジ穴部４１Ｄは金属ケース４０の４辺部に各々２箇所形成されている。
【００２４】
取付枠部４１のフランジ部４１Ａと枠状部４１Ｂの境界部であって枠状部４１Ｂの下端部には、金属ケース４０内に結露する水を排水するための水抜き穴４１Ｅが開口されている。水抜き穴４１Ｅの縁部は水抜き穴４１Ｅに水を案内するように傾斜していても良い。
【００２５】
フランジ部４１Ａの上面部には、補強機能を有するリブ４１Ｆ、４１Ｇが縦横に延びるように形成されており、枠状部４１Ｂと平面方向から見て平行に延びるリブ４１Ｇによって、水がフランジ部４１Ａ全体に広がることが防止されている。このまた、リブ４１Ｆ、４１Ｇの裏面側上には、シールクッションＳ１，Ｓ２が配設される。
【００２６】
図５，６はシールクッションＳ１，Ｓ２（シール）の取り付ける状態を示している。シールクッションＳ１，Ｓ２は、一例としてプラスチックゴムで形成され、金属ケース４０の側壁部に接触する位置まで貼り付けられている。また、水抜き穴４１Ｅが形成されている部分は、フランジ部４１Ａの上面部まで金属ケース４０の下端部が当接している。シールクッションＳ１，Ｓ２の枠側上面部は、フランジ部４１Ａの状部に設けられた浅い溝状の窪みＣに沿って凹んでおり、フランジ部４１Ａと天井部３２とをシールクッションでシールし、天井部３２の上部空間に水分が抜けることを防止している。このため、フランジ４１Ａの上に水が溜まらず、浴室の天井部３２の裏側に回り込んだりすることはなく、建物の腐食や劣化が防止される。
【００２７】
金属ケース４０の内部には、遠心式で円筒型の吸引ファン４２（図１参照）が配設されている。吸引ファン４２の円筒型の周囲は送風路４５に空気を導くファンケース４３が形成され、ファンケース４３には、吸引ファン４２の空気を空気を導入するベルマウス４４が形成されている。吸引ファン４２は、装置本体３４上部の天井壁部３４Ａに取り付けられているモーター４５の出力軸４５Ａに取り付けられている。
【００２８】
送風路４５には、排気風路４６と循環風路４７に空気の流れを切り換えるダンパー４８が配設されている。ダンパー４８はリンク４８Ａ、４８Ｂを介してダンパー用モーター４８Ｍの出力軸にリンクしている。ダンパー４８はダンパー用モーター４８Ｍの回転角度により、送風路４５を流れる空気の流れを切り換える。ダンパー４８が循環風路４７側の開口縁部に倒れると、送風路４５の空気は排気風路４６から排気口４６Ａを経由してダクトジョイント４９に流れる。ダンパー４８が排気風路４６側に立ち上がると、排気風路４６が遮断されて循環風路４７側に空気が流れ、循環風路４７から浴室３１内部に空気が循環される。
【００２９】
排気風路４６の排気口４６Ａの外側縁部にはダクトジョイント４９が配設され、ダクトジョイント４９には建物の外側に通じるダクト（図示省略）が接続されている。循環風路４７には空気を通過させるフィンを多数備えたヒータ５０が設けられている。
【００３０】
取付枠部４１の下側には、空気を通過させるための長穴を多数形成した化粧用のフロントパネル５１が取り付けられている。フロントパネル５１は吸引ファン４２によって浴室３１の空気を吸い込むための吸込口部５２が形成され、吸込口部５２の裏側には図示しないフィルターが設けられている。また、フロントパネル５１の循環風路４７に臨む部位には、循環空気を通過させる吹出部５３が形成されている。フロントパネル５１の四隅にはネジ５４を通す穴５５が形成されている。ネジ５４は取付開口部３３の縁部に螺着される。ネジ５４を通した後の穴５５はカバー５６によって閉鎖される。
【００３１】
装置本体３４の天井壁部３４Ａには、図示しない基板ボックスが取り付けられている。基板ボックスには制御基板が設けられており、制御基板は、モーター４５，ヒータ５０，ダンパー用モーター４８Ｍ等を制御するように、図示しない電灯線に接続されており、電灯線からモーター４５，ヒータ５０，ダンパー用モーター４８Ｍへの給電を、制御基板が制御することにより、これらの回転或いは温度を制御する。
【００３２】
この浴室用換気装置３０では、金属ケース４０は、浴室３１の天井部３２の取付開口部３３から天井部３２の奥部に挿入されて取り付けられるものであって、金属ケース４０に、浴室３１の空気を取り入れるための開口部４０Ａと、取り入れた空気を排気可能な排気口４６Ａとが開口されていると共に、内部に空気の吸引ファン４２を格納可能なボックス形状を有しており、金属ケース４０の開口縁部に、取付枠部４１が装着される構成とされている。取付枠部４１は、取付開口部３３の室内側の開口縁部を覆うフランジ部４１Ａと金属ケース４０の開口縁部に取り付けられる枠状部４１Ｂとを一体に形成した構成とされている。
【００３３】
このため、浴室用換気装置３０のための成型金型が非常に小型化され、低コストになるのみならず、プラスチックの使用量が従来に比べて非常に少なくなっている。従って、浴室用換気装置３０自身の重量が軽量化され、小型化が促進されると共に、取付作業上の簡易化が促進される。
【００３４】
更に、この浴室用換気装置３０では、フランジ部４１Ａと枠状部４１Ｂの少なくとも何れかに水抜き穴４１Ｅを形成したので、浴室の天井部３２の裏側に水が回り込むことが防止されている。そして、フランジ部４１Ａに取付開口部３２の開口縁部とフランジ部４１Ａとの間に配置されるシールクッションＳ１，Ｓ２が設けられているので、更に、浴室の天井部３２の裏側への水の進入防止効果が顕著なものとなっている。
【００３５】
本発明の実施の形態では、従来のように樹脂の本体ケース部に金属ケース４０を被せる二重構造ではなく、金属ケース４０に送風機やヒータ等をカバー部材を介して取り付けることによって、本体ケースとして使用していた樹脂部が不要となる。また、フランジ部４１Ａと枠状部４１Ｂとを一体形成し、枠状部４１Ｂを着脱自在とすることにより、枠状部４１Ｂが運搬等の際に破損した場合でも、取付枠部４１の交換で済む。更に、取付枠部４１のフランジ部４１ＡのシールクッションＳ１，Ｓ２が劣化した場合でも、取付枠部４１又はシールクッションＳ１、Ｓ２を交換すれば良い。更に、取付枠部４１に水抜き穴を設けることにより、天井部内に水が漏れてしまうことを防ぐことが出来るという効果もある。
【００３６】
【発明の効果】
本願にかかる空調装置によれば、空調装置のための成型金型が非常に小型化されて低コストなものとされ、プラスチックの使用量が従来に比べて非常に少なくなるので、空調装置自身の重量が軽量化され、小型化が促進されると共に、取付作業上の簡易化が促進される。
【００３７】
また、従来のように樹脂の本体ケースに金属ケースを被せる二重構造ではなく、金属ケースに送風機やヒータ等をカバー部材を介して取り付けることによって、本体ケースとして使用していた樹脂部が不要となる。
【００３８】
更に、フランジ部と枠状部とを一体形成し、枠状部を着脱自在とすることによって、枠状部が運搬等の際に破損した場合でも、取付枠部の交換で済む。
【００３９】
更に、取付枠部のフランジ部のシールが劣化した場合でも、取付枠部又はシールを交換すれば良い。
【００４０】
また、取付枠部に水抜き穴を設けることにより、天井部内に水が漏れてしまうことを防ぐことが出来る。
【図面の簡単な説明】
【図１】本願の実施の形態にかかる浴室用換気装置の構成を示す分解斜視図。
【図２】本願の実施の形態にかかる浴室用換気装置を浴室天井部に取り付ける状態及び取付枠部の構成を示す断面図。
【図３】図１，２に示す取付枠部の平面形状を示す図。
【図４】図１，２に示す取付枠部の断面構成を示す図。
【図５】図１，２に示す取付枠部のフランジ部と枠状部に形成された水抜き穴の構成を示す部分断面図。
【図６】図５に示す取付枠部のフランジ部にシールクッションを貼り合わせた状態を示す部分断面図。
【図７】従来の浴室用換気装置の構成を示す図。
【符号の説明】
３０  浴室用換気装置
３１  浴室
３２  天井部
３３  取付開口部
３４  装置本体
４０  金属ケース
４１  取付枠部
４１Ａ  フランジ部
４１Ｂ  枠状部
４１Ｃ  ネジ
４１Ｄ  ネジ穴部
４１Ｅ  水抜き穴
Ｓ１，Ｓ２  シールクッション
４２  吸引ファン
【図１】
2004150765.tif 000003
【図２】
2004150765.tif 000004
【図３】
2004150765.tif 000005
【図４】
2004150765.tif 000006
【図５】
2004150765.tif 000007
【図６】
2004150765.tif 000008
【図７】
2004150765.tif 000009